(57)【要約】【課題】  紙としてリサイクル可能なファイル用紙製バインダーを提供する。【解決手段】  板状の紙製ベース６がファイル本体の背表紙３内側に固定される。一方の紙製綴り板７が紙製ベース６と一体的に成形され、紙製ベース６の一辺から略垂直に立ち上がる。もう一方の紙製綴り板８が、紙製綴り板７に対向して、紙製ベース６の他辺に取り付けられ、紙製ベース６とのなす角を変えられるように構成されている。２本の紙製綴り桿９が紙製綴り板８に固定されている。スライド板１０をスライドさせることにより、紙製綴り桿９の掛止と解放を行う。紙製ベース６及び紙製綴り板７，８が紙を積層して形成されている。【選択図】  図１
2005047248.tif 000002
【特許請求の範囲】
【請求項１】
ファイル本体の背表紙内側に固定される板状の紙製ベースと、
前記紙製ベースの一辺から略垂直に立ち上がる第１の紙製綴り板と、
前記第１の紙製綴り板に対向して、前記紙製ベースの他辺に、前記紙製ベースとのなす角を変えられるように設けられる第２の紙製綴り板と、
前記第１および第２の紙製綴り板のうち一方の紙製綴り板に、他方の紙製綴り板に向かって伸びるように設けられる複数の紙製綴り桿と、
前記複数の紙製綴り桿を前記他方の紙製綴り板に掛止する紙製掛止部材とを備えていることを特徴とする、ファイル用紙製バインダー。
【請求項２】
前記紙製ベースならびに前記第１および第２の紙製綴り板が、紙を積層して形成されていることを特徴とする、請求項１記載のファイル用紙製バインダー。
【請求項３】
前記第１および第２の紙製綴り板のうち少なくとも一方と前記紙製ベースとが、一枚の板紙を折り畳むことにより一体的に形成されていることを特徴とする、請求項１または請求項２に記載のファイル用紙製バインダー。
【請求項４】
前記紙製ベースと前記第１の紙製綴り板は、両者の境界において、前記紙製ベースから前記第１の紙製綴り板に続く外側に積層された紙と内側に積層された紙とで筒状に形成された部分を有し、当該部分により前記紙製ベースと前記第１の紙製綴り板がなす角を維持するように補強されていることを特徴とする、請求項１から請求項３のいずれか一項に記載のファイル用紙製バインダー。
【請求項５】
前記筒状に形成された部分は、前記紙製ベースおよび前記第１の紙製綴り板に対して垂直な平面で切断した時の断面形状が略三角形であることを特徴とする、請求項４記載のファイル用紙製バインダー。
【請求項６】
前記第２の紙製綴り板は、先端から前記第１の紙製綴り板側に折り返されたフラップ部を有しており、前記フラップ部に前記複数の紙製綴り桿が設けられていることを特徴とする、請求項１から請求項５のいずれか一項に記載のファイル用紙製バインダー。
【請求項７】
前記第１および第２の紙製綴り板のうち少なくとも一方に、補強用縦リブが形成されていることを特徴とする、請求項１から請求項６のいずれか一項に記載のファイル用紙製バインダー。
【請求項８】
前記複数の紙製綴り桿は、筒状であって、前記第２の紙製綴り板に設けられており、
前記第１の紙製綴り板の先端部に、前記第２の紙製綴り板側に膨出した膨出部が設けられ、
前記紙製掛止部材は、前記複数の紙製綴り桿それぞれの中に挿入可能な複数の釘部と、前記複数の釘部の一端部が固定されかつ前記膨出部に掛止される板状部とを備えた紙製釘ホルダーからなり、
前記複数の釘部を前記複数の紙製綴り板の中に挿入した状態で、前記板状部を前記紙製ベースと反対側から前記膨出部に押し付けると、前記第１の紙製綴り板が外側に広がるように弾性変形して前記板状部が前記紙製ベース側に移動した後、前記第１の紙製綴り板が復元し、それによって前記板状部が前記膨出部に掛止されるようになっていることを特徴とする、請求項１から請求項７のいずれか一項に記載のファイル用紙製バインダー。
【請求項９】
前記紙製ベースおよび前記第１の紙製綴り板のうち少なくとも一方と前記紙製釘ホルダーとに、前記紙製釘ホルダーが前記紙製ベースと前記第１の紙製綴り板の境界線に平行な方向に移動するのを阻止するための係り止め手段が備えられていることを特徴とする、請求項８記載のファイル用紙製バインダー。
【請求項１０】
前記係り止め手段は、前記紙製ベースおよび前記第１の紙製綴り板のうち少なくとも一方に向かって突出するように前記紙製釘ホルダーの前記板状部に形成された足と、前記足が嵌まり込むように前記紙製ベースおよび前記第１の紙製綴り板のうち少なくとも一方に形成された開口とからなることを特徴とする、請求項９記載のファイル用紙製バインダー。
【請求項１１】
前記膨出部は、前記板状部を掛止する部分が、先端に向かう程前記紙製ベースに近づくような傾斜面となされていることを特徴とする、請求項８から請求項１０のいずれか一項に記載のファイル用紙製バインダー。
【請求項１２】
前記第１の紙製綴り板に、前記板状部を前記第２の紙製綴り板側に押して前記膨出部から外すための穴または切り欠きが形成されていることを特徴とする、請求項８から請求項１１のいずれか一項に記載のファイル用紙製バインダー。
【請求項１３】
前記釘ホルダーは、複数の紙製棒状体をこれらの一端側から紙製板状体に挿通して、前記複数の紙製棒状体の他端部を前記紙製板状体に接着することにより形成されており、前記複数の棒状体の他端部には、それ以外の部分よりも径が大きくなされた抜け止め部が形成されていることを特徴とする、請求項８から請求項１２のいずれか一項に記載のファイル用紙製バインダー。
【請求項１４】
前記複数の紙製綴り桿は、前記第２の紙製綴り板に設けられていて、前記複数の紙製綴り桿の先端近傍にくびれが形成され、
前記紙製掛止部材は、前記第１の紙製綴り板に摺動自在に取り付けられ、前記くびれが嵌るかぎ型の切り欠きを有する紙板であることを特徴とする、請求項１から請求項７のいずれか一項に記載のファイル用紙製バインダー。
【請求項１５】
前記紙製ベースならびに前記第１および第２の紙製綴り板を、略コ字型に保持しながら、ファイル本体の背表紙内側に着脱自在に固定する紙製アンカー部材をさらに備えていることを特徴とする、請求項１から請求項７のいずれか一項に記載のファイル用紙製バインダー。
【請求項１６】
前記複数の紙製綴り桿が、前記一方の紙製綴り板の一部を切って折り曲げることにより形成されていることを特徴とする、請求項１から請求項７、請求項１４および請求項１５のいずれか一項に記載のファイル用紙製バインダー。
【請求項１７】
前記他方の紙製綴り板が、前記複数の紙製綴り桿に対応する穴を有し、
前記紙製掛止部材は、紙筒をコ字型に曲げて成形されていて、前記穴を通して前記綴り桿に被せられることを特徴とする、請求項１から請求項７、請求項１５および請求項１６のいずれか１項に記載のファイル用紙製バインダー。
【請求項１８】
前記他方の紙製綴り板が、前記複数の紙製綴り桿に対応する穴を有し、
前記紙製掛止部材が、前記複数の紙製綴り桿の先端部から伸びる紙製の紐であって、前記穴を通して互いに結び合わせられることを特徴とする、請求項１から請求項７、請求項１５および請求項１６のいずれか一項に記載のファイル用紙製バインダー。
【請求項１９】
前記紙製掛止部材が、前記他方の紙製綴り板に設けられ、前記複数の紙製綴り桿を掛止しうる位置に存するか否かを、それ自体の弾性変形によって変えられるよう構成されていることを特徴とする、請求項１から請求項７、請求項１５および請求項１６のいずれか一項に記載のファイル用紙製バインダー。
【請求項２０】
ファイル本体の背表紙内側に固定される板状の紙製ベースと、
前記紙製ベースの一辺に前記紙製ベースとのなす角を変えられるように設けられる紙製綴り板と、
前記紙製綴り板に設けられる複数の紙製綴り桿と、
前記複数の紙製綴り桿に通された書類が抜け落ちるのを阻止する紙製抜け止め部材とを備え、
前記複数の紙製綴り桿は先端近傍にくびれまたは穴を有し、前記紙製抜け止め部材は、前記くびれまたは穴に嵌合される嵌合部を有していることを特徴とする、ファイル用紙製バインダー。
【請求項２１】
ファイル本体の背表紙内側に固定される板状の紙製ベースと、
前記紙製ベースの一辺に前記紙製ベースとのなす角を変えられるように設けられる第１の紙製綴り板と、
前記第１の紙製綴り板に対向して、前記紙製ベースの他辺に、前記紙製ベースとのなす角を変えられるように設けられる第２の紙製綴り板と、
前記第１および第２の紙製綴り板のうち一方の紙製綴り板に、他方の紙製綴り板に向かって伸びるように設けられる複数の紙製綴り桿と、
前記複数の紙製綴り桿を前記他方の紙製綴り板に掛止する紙製掛止部材とを備え、
前記複数の紙製綴り桿は、先端部が折り曲げ自在に形成され、前記他方の紙製綴り板に、前記複数の紙製綴り桿に対応して穴が設けられ、
前記紙製掛止部材は、前記穴に通されて折り曲げられた前記紙製綴り桿の先端部を前記他方の紙製綴り板ごと挟み込むことができるような構成を有していることを特徴とする、ファイル用紙製バインダー。
【請求項２２】
ファイル本体の背表紙内側に固定される板状の紙製ベースと、
前記紙製ベースの一辺に前記紙製ベースとのなす角を変えられるように設けられる紙製綴り板と、
前記紙製綴り板に設けられる複数の紙製綴り桿と、
前記複数の紙製綴り桿に通された書類が抜け落ちるのを阻止する抜け止め部材とを備え、
前記複数の紙製綴り桿は先端部が中空に形成され、
前記抜け止め部材は、中空の前記先端部にねじ込まれる水溶性の材料で形成された螺子からなることを特徴とする、ファイル用紙製バインダー。
【請求項２３】
ファイル本体の背表紙内側に固定される板状の紙製ベースと、
前記紙製ベースの一辺に前記紙製ベースとのなす角を変えられるように設けられる第１の紙製綴り板と、
前記第１の紙製綴り板に対向して、前記紙製ベースの他辺に、前記紙製ベースとのなす角を変えられるように設けられる第２の紙製綴り板と、
前記第１および第２の紙製綴り板のうち一方の紙製綴り板に、他方の紙製綴り板に向かって伸びるように設けられる複数の紙製綴り桿と、
前記複数の紙製綴り桿を前記他方の紙製綴り板に掛止する紙製掛止部材とを備え、
前記複数の紙製綴り桿は、先端近傍にくびれを有し、
前記紙製掛止部材は、前記他方の紙製綴り板に設けられていて、前記複数の紙製綴り桿における前記くびれよりも先端側の部分を挟み込むことができるような構成を有していることを特徴とする、ファイル用紙製バインダー。
【請求項２４】
ファイル本体の背表紙内側に固定される板状の紙製ベースと、前記紙製ベースの対向する二辺に設けられる第１および第２の紙製綴り板とを備えたファイル用紙製バインダーの製造方法において、
一枚の板紙を折り畳むことにより、前記第１および第２の紙製綴り板のうちの少なくとも一方と前記紙製ベースとを一体的に成形することを特徴とする、ファイル用紙製バインダーの製造方法。
【請求項２５】
前記一枚の板紙を折り畳むことにより、前記紙製ベースと前記第１の紙製綴り板の境界において、前記紙製ベースから前記第１の紙製綴り板に続く外側に積層されている板紙部分と内側に積層されている板紙部分とで、前記紙製ベースと前記第１の紙製綴り板がなす角を維持するよう補強する筒状部分を形成することを特徴とする、請求項２４記載のファイル用紙製バインダーの製造方法。
【請求項２６】
表表紙、背表紙および裏表紙からなる紙製ファイル本体と、請求項１から請求項２３のいずれか一項に記載のファイル用紙製バインダーとを備えていることを特徴とする、紙製ファイル。
【発明の詳細な説明】
【技術分野】
【０００１】
本発明は、書類や冊子を綴るファイル用バインダーに関し、特に紙を加工して形成される紙製ファイル用バインダーに関する。ここでバインダーとは、書類を綴じこむための綴り具をいう。
【背景技術】
【０００２】
従来から、書類等を綴るファイル用バインダーとして、厚紙の成形による表表紙、背表紙及び裏表紙からなるファイル本体の背表紙内側に金属製や樹脂製のバインダーが取り付けられたものが広く普及している（下記特許文献１参照）。
【０００３】
【特許文献１】特開２００２−１２０４８３号公報
【発明の開示】
【発明が解決しようとする課題】
【０００４】
従来のファイル用バインダーは、金属製や樹脂製であるため、書類等が紙のみからなるものであっても、バインダー部分を一々紙製ファイル本体から分離して廃棄しなければならず、大量の書類を扱うところではファイルを廃棄したりリサイクルすることが面倒であった。
【０００５】
本発明は上記の課題を解決するためになされたものであり、廃棄やリサイクルが容易でかつ、簡単に書類等をファイルすることができるファイル用紙製バインダーを提供することを目的とする。
【課題を解決するための手段】
【０００６】
第１の課題解決手段に係る発明のファイル用紙製バインダーは、ファイル本体の背表紙内側に固定される板状の紙製ベースと、紙製ベースの一辺から略垂直に立ち上がる第１の紙製綴り板と、第１の紙製綴り板に対向して、前記紙製ベースの他辺に、紙製ベースとのなす角を変えられるように設けられる第２の紙製綴り板と、第１および第２の紙製綴り板のうち一方の紙製綴り板に、他方の紙製綴り板に向かって伸びるように設けられる複数の紙製綴り桿と、複数の紙製綴り桿を他方の紙製綴り板に掛止する紙製掛止部材とを備えているものである。
【０００７】
第２の課題解決手段に係る発明のファイル用紙製バインダーは、第１の課題解決手段において、紙製ベースならびに前記第１および第２の紙製綴り板が、紙を積層して形成されていることを特徴とするものである。
【０００８】
第３の課題解決手段に係る発明のファイル用紙製バインダーは、第１または第２の課題解決手段において、第１および第２の紙製綴り板のうち少なくとも一方と紙製ベースとが、一枚の板紙を折り畳むことにより一体的に形成されていることを特徴とするものである。
【０００９】
第４の課題解決手段に係る発明のファイル用紙製バインダーは、第１から第３の課題解決手段のいずれかにおいて、紙製ベースと第１の紙製綴り板は、両者の境界において、紙製ベースから第１の紙製綴り板に続く外側に積層された紙と内側に積層された紙とで筒状に形成された部分を有し、当該部分により紙製ベースと第１の紙製綴り板がなす角を維持するように補強されていることを特徴とするものである。
【００１０】
第５の課題解決手段に係る発明のファイル用紙製バインダーは、第４の課題解決手段において、筒状に形成された部分は、紙製ベースおよび第１の紙製綴り板に対して垂直な平面で切断したときの断面形状が略三角形であることを特徴とするものである。
【００１１】
第６の課題解決手段に係る発明のファイル用紙製バインダーは、第１から第５の課題解決手段のいずれかにおいて、第２の紙製綴り板は、先端から第１の紙製綴り板側に折り返されたフラップ部を有しており、フラップ部に複数の紙製綴り桿が設けられていることを特徴とするものである。
【００１２】
第７の課題解決手段に係る発明のファイル用紙製バインダーは、第１から第６の課題解決手段のいずれかにおいて、第１および第２の紙製綴り板のうち少なくとも一方に、補強用縦リブが形成されていることを特徴とするものである。
【００１３】
第８の課題解決手段に係る発明のファイル用紙製バインダーは、第１から第７の課題解決手段のいずれかにおいて、複数の紙製綴り桿は、筒状であって、第２の紙製綴り板に設けられており、第１の紙製綴り板の先端部に、第２の紙製綴り板側に膨出した膨出部が設けられ、紙製掛止部材は、複数の紙製綴り桿それぞれの中に挿入可能な複数の釘部と、複数の釘部の一端部が固定されかつ膨出部に掛止される板状部とを備えた紙製釘ホルダーからなり、複数の釘部を複数の紙製綴り板の中に挿入した状態で、板状部を紙製ベースと反対側から膨出部に押し付けると、第１の紙製綴り板が外側に広がるように弾性変形して板状部が紙製ベース側に移動した後、第１の紙製綴り板が復元し、それによって板状部が膨出部に掛止されるようになっていることを特徴とするものである。
【００１４】
第９の課題解決手段に係る発明のファイル用紙製バインダーは、第８の課題解決手段において、紙製ベースおよび第１の紙製綴り板のうち少なくとも一方と紙製釘ホルダーとに、紙製釘ホルダーが紙製ベースと第１の紙製綴り板の境界線に平行な方向に移動するのを阻止するための係り止め手段が備えられていることを特徴とするものである。
【００１５】
第１０の課題解決手段に係る発明のファイル用紙製バインダーは、第９の課題解決手段において、係り止め手段は、紙製ベースおよび第１の紙製綴り板のうち少なくとも一方に向かって突出するように紙製釘ホルダーの板状部に形成された足と、足が嵌まり込むように紙製ベースおよび第１の紙製綴り板のうち少なくとも一方に形成された開口とからなることを特徴とするものである。
【００１６】
第１１の課題解決手段に係る発明のファイル用紙製バインダーは、第８から第１０の課題解決手段のいずれかにおいて、膨出部は、板状部を掛止する部分が、先端に向かう程紙製ベースに近づくような傾斜面となされていることを特徴とするものである。
【００１７】
第１２の課題解決手段に係る発明のファイル用紙製バインダーは、第８から第１１の課題解決手段のいずれかにおいて、第１の紙製綴り板に、板状部を第２の紙製綴り板側に押して膨出部から外すための穴または切り欠きが形成されていることを特徴とするものである。
【００１８】
第１３の課題解決手段に係る発明のファイル用紙製バインダーは、第８から第１２の課題解決手段のいずれかにおいて、釘ホルダーは、複数の紙製棒状体をこれらの一端側から紙製板状体に挿通して、複数の紙製棒状体の他端部を紙製板状体に接着することにより形成されており、複数の棒状体の他端部には、それ以外の部分よりも径が大きくなされた抜け止め部が形成されていることを特徴とするものである。
【００１９】
第１４の課題解決手段に係る発明のファイル用紙製バインダーは、第１から第７の課題解決手段のいずれかにおいて、複数の紙製綴り桿は、第２の紙製綴り板に設けられていて、複数の紙製綴り桿の先端近傍にくびれが形成され、紙製掛止部材は、第１の紙製綴り板に摺動自在に取り付けられ、くびれが嵌るかぎ型の切り欠きを有する紙板であることを特徴とするものである。
【００２０】
第１５の課題解決手段に係る発明のファイル用紙製バインダーは、第１から第７の課題解決手段のいずれかにおいて、紙製ベースならびに第１および第２の紙製綴り板を、略コ字型に保持しながら、ファイル本体の背表紙内側に着脱自在に固定する紙製アンカー部材をさらに備えていることを特徴とするものである。
第１５の課題解決手段において、好ましくは、紙製アンカー部材が紙を積層して形成されている。
【００２１】
第１６の課題解決手段に係る発明のファイル用紙製バインダーは、第１から第７、第１４および第１５の課題解決手段のいずれかにおいて、複数の紙製綴り桿が、一方の紙製綴り板の一部を切って折り曲げることにより形成されていることを特徴とするものである。
【００２２】
第１７の課題解決手段に係る発明のファイル用紙製バインダーは、第１から第７、第１５および第１６の課題解決手段のいずれかにおいて、他方の紙製綴り板が、複数の紙製綴り桿に対応する穴を有し、紙製掛止部材は、紙筒をコ字型に曲げて成形されていて、穴を通して綴り桿に被せられることを特徴とするものである。
【００２３】
第１８の課題解決手段に係る発明のファイル用紙製バインダーは、第１から第７、第１５および第１６の課題解決手段のいずれかにおいて、他方の紙製綴り板が、複数の紙製綴り桿に対応する穴を有し、紙製掛止部材が、複数の紙製綴り桿の先端部から伸びる紙製の紐であって、穴を通して互いに結び合わせられることを特徴とするものである。
【００２４】
第１９の課題解決手段に係る発明のファイル用紙製バインダーは、第１から第７、第１５および第１６の課題解決手段のいずれかにおいて、紙製掛止部材が、他方の紙製綴り板に設けられ、複数の紙製綴り桿を掛止しうる位置に存するか否かを、それ自体の弾性変形によって変えられるよう構成されていることを特徴とするものである。
【００２５】
第２０の課題解決手段に係る発明のファイル用紙製バインダーは、ファイル本体の背表紙内側に固定される板状の紙製ベースと、紙製ベースの一辺に紙製ベースとのなす角を変えられるように設けられる紙製綴り板と、紙製綴り板に設けられる複数の紙製綴り桿と、複数の紙製綴り桿に通された書類が抜け落ちるのを阻止する紙製抜け止め部材とを備え、複数の紙製綴り桿は先端近傍にくびれまたは穴を有し、紙製抜け止め部材は、くびれまたは穴に嵌合される嵌合部を有していることを特徴とするものである。
第２０の課題解決手段において、好ましくは、紙製ベースおよび紙製綴り板が紙を積層して形成されている。
【００２６】
第２１の課題解決手段に係る発明のファイル用紙製バインダーは、ファイル本体の背表紙内側に固定される板状の紙製ベースと、紙製ベースの一辺に紙製ベースとのなす角を変えられるように設けられる第１の紙製綴り板と、第１の紙製綴り板に対向して、紙製ベースの他辺に、紙製ベースとのなす角を変えられるように設けられる第２の紙製綴り板と、第１および第２の紙製綴り板のうち一方の紙製綴り板に、他方の紙製綴り板に向かって伸びるように設けられる複数の紙製綴り桿と、複数の紙製綴り桿を他方の紙製綴り板に掛止する紙製掛止部材とを備え、複数の紙製綴り桿は、先端部が折り曲げ自在に形成され、他方の紙製綴り板に、複数の紙製綴り桿に対応して穴が設けられ、紙製掛止部材は、穴に通されて折り曲げられた紙製綴り桿の先端部を他方の紙製綴り板ごと挟み込むことができるような構成を有していることを特徴とするものである。
第２１の課題解決手段において、好ましくは、紙製ベースならびに第１および第２の紙製綴り板が紙を積層して形成されている。
【００２７】
第２２の課題解決手段に係る発明のファイル用紙製バインダーは、ファイル本体の背表紙内側に固定される板状の紙製ベースと、紙製ベースの一辺に紙製ベースとのなす角を変えられるように設けられる紙製綴り板と、紙製綴り板に設けられる複数の紙製綴り桿と、複数の紙製綴り桿に通された書類が抜け落ちるのを阻止する抜け止め部材とを備え、複数の紙製綴り桿の少なくとも一つは先端部が中空に形成され、抜け止め部材は、中空の先端部にねじ込まれる水溶性の材料で形成された螺子からなることを特徴とするものである。
第２２の課題解決手段において、好ましくは、紙製ベースおよび紙製綴り板が紙を積層して形成されている。
【００２８】
第２３の課題解決手段に係る発明のファイル用紙製バインダーは、ファイル本体の背表紙内側に固定される板状の紙製ベースと、紙製ベースの一辺に紙製ベースとのなす角を変えられるように設けられる第１の紙製綴り板と、第１の紙製綴り板に対向して、紙製ベースの他辺に、紙製ベースとのなす角を変えられるように設けられる第２の紙製綴り板と、第１および第２の紙製綴り板のうち一方の紙製綴り板に、他方の紙製綴り板に向かって伸びるように設けられる複数の紙製綴り桿と、複数の紙製綴り桿を他方の紙製綴り板に掛止する紙製掛止部材とを備え、複数の紙製綴り桿は、先端近傍にくびれを有し、紙製掛止部材は、他方の紙製綴り板に設けられていて、複数の紙製綴り桿におけるくびれよりも先端側の部分を挟み込むことができるような構成を有していることを特徴とするものである。
第２３の課題解決手段において、好ましくは、紙製ベースならびに第１および第２の紙製綴り板が紙を積層して形成されている。
【００２９】
第２４の課題解決手段に係る発明のファイル用紙製バインダーの製造方法は、ファイル本体の背表紙内側に固定される板状の紙製ベースと、紙製ベースの対向する二辺に設けられる第１および第２の紙製綴り板とを備えたファイル用紙製バインダーの製造方法において、一枚の板紙を折り畳むことにより、第１および第２の紙製綴り板のうちの少なくとも一方と紙製ベースとを一体的に成形することを特徴とするものである。
【００３０】
第２５の課題解決手段に係る発明のファイル用紙製バインダーの製造方法は、第２４の課題解決手段において、一枚の板紙を折り畳むことにより、紙製ベースと第１の紙製綴り板の境界において、紙製ベースから第１の紙製綴り板に続く外側に積層されている板紙部分と内側に積層されている板紙部分とで、紙製ベースと第１の紙製綴り板がなす角を維持するよう補強する筒状部分を形成することを特徴とするものである。
【００３１】
第２６の課題解決手段に係る発明の紙製ファイルは、表表紙、背表紙および裏表紙からなる紙製ファイル本体と、第１から第２３のいずれか１つの課題解決手段の発明に係るファイル用紙製バインダーとを備えていることを特徴とするものである。
【発明の効果】
【００３２】
第１の課題解決手段に係る発明のファイル用紙製バインダーによれば、一方の紙製綴り板に設けられた紙製綴り桿に書類を通しておいてから、該紙製綴り桿を紙製掛止部材によって他方の紙製綴り板に掛止させることにより、書類を両紙製綴り板で挟んで簡単にファイルできる。また、バインダー全体が紙製であるのでリサイクルに適している。
【００３３】
第２の課題解決手段に係る発明のファイル用紙製バインダーによれば、紙製ベース並びに第１及び第２の紙製綴り板が紙を積層して形成されているから丈夫である。
【００３４】
第３の課題解決手段に係る発明のファイル用紙製バインダーによれば、第１および／または第２の紙製綴り板と紙製ベースとが一枚の板紙を折り畳むことにより一体的に形成されているので、接着剤などにより接続する場合に比べて工程が簡単であって、それだけ低コストとすることができる。また、第１および／または第２の紙製綴り板と紙製ベースとがまっすぐ接着されなかったり接着剤の剥離により剥れたりするという不具合がなく、優れた製品が得られる。
【００３５】
第４の課題解決手段に係る発明のファイル用紙製バインダーによれば、筒状に形成された部分により紙製ベースと第１の紙製綴り板がなす角を維持するよう補強されているので、紙製ベースに対し第１の紙製綴り板が折れ曲がるのを防止することができる。
【００３６】
第５の課題解決手段に係る発明のファイル用紙製バインダーによれば、筒状部分の略三角形をした断面形状により、簡単な構成で十分な補強効果をもたせることができる。
【００３７】
第６の課題解決手段に係る発明のファイル用紙製バインダーによれば、第２の紙製綴り板に備えられたフラップ部に複数の紙製綴り桿が設けられているので、フラップ部の有するバネ状弾性力によって、より確実に紙製綴り桿を第２の紙製綴り板に掛止させておくことができる。
【００３８】
第７の課題解決手段に係る発明のファイル用紙製バインダーによれば、第１および第２の紙製綴り板のうち少なくとも一方に補強用縦リブが形成されているので、それによって紙製綴り板の強度が高められる。
【００３９】
第８の課題解決手段に係る発明のファイル用紙製バインダーによれば、釘部を紙製綴り板の中に挿入した状態で釘ホルダーの板状部を紙製ベースと反対側から第１の紙製綴り板の膨出部に押し付けるという簡単な操作により、第１の紙製綴り板の弾性変形および復元を利用して、板状部が膨出部に掛止されるようになっている。つまり、上記バインダーによれば、釘部が紙製綴り桿に挿入された紙製釘ホルダーの掛止を、膨出部よりも紙製ベース寄りに在って掛止されている状態とそうでない状態とを第１の紙製綴り板の弾性変形という簡単な操作で切り替えることができ、書類のバインドをスムーズに行えるという効果がある。
【００４０】
第９の課題解決手段に係る発明のファイル用紙製バインダーによれば、係り止め手段により紙製釘ホルダーの境界線に平行な動きを牽制して紙製釘ホルダーと紙製ベースとの位置関係を制限することができ、紙製綴り桿の損傷を防止することができる。
【００４１】
第１０の課題解決手段に係る発明のファイル用紙製バインダーによれば、係り止め手段を、紙製釘ホルダーの板状部に形成された足と、足が嵌まり込むように紙製ベースおよび第１の紙製綴り板のうち少なくとも一方に形成された開口とで構成したので、バインダーの構造を複雑にしなくても、係り止め手段による前記効果が確実に得られる。
【００４２】
第１１の課題解決手段に係る発明のファイル用紙製バインダーによれば、膨出部が、板状部を掛止する部分として、先端に向かう程紙製ベースに近づくような傾斜面を有しているので、板状部が膨出部から外れ難く、バインダーとしての信頼性をより高めることができる。
【００４３】
第１２の課題解決手段に係る発明のファイル用紙製バインダーによれば、第１の紙製綴り板に形成された穴または切り欠きを通して、手の指等で板状部を第２の紙製綴り板側に押すことができるので、第１紙製綴り板を外側に大きく弾性変形させることなく、板状部を膨出部から容易に外すことが可能となる。
【００４４】
第１３の課題解決手段に係る発明のファイル用紙製バインダーによれば、棒状体の他端部に抜け止め部が形成されているので、棒状体が板状体から外れ難く、耐久性に優れた釘ホルダーが得られる。
【００４５】
第１４の課題解決手段に係る発明のファイル用紙製バインダーによれば、紙板をスライドさせるという簡単な操作で紙製綴り桿を掛止でき、書類をファイルし易くなり、紙製綴り桿のくびれでしっかりとファイルして書類の脱落を防止できる。
【００４６】
第１５の課題解決手段に係る発明のファイル用紙製バインダーによれば、紙製ベース並びに第１及び第２の紙製綴り板をファイル本体から取り外せるので、書類のファイルが容易になる。
【００４７】
第１６の課題解決手段に係る発明のファイル用紙製バインダーによれば、第２の紙製綴り板の一部を切って折り曲げることにより紙製綴り桿が形成されているので、安価に製作できるという効果がある。
【００４８】
第１７の課題解決手段に係る発明のファイル用紙製バインダーによれば、紙筒をコ字型に曲げて成形された紙製掛止部材を紙製綴り桿に被せるため、紙製綴り桿の強度を補強できるという効果がある。
【００４９】
第１８の課題解決手段に係る発明のファイル用紙製バインダーによれば、紙製掛止部材として紙製の紐を用いているので、簡単な構成で確実に書類を綴ることができる。
【００５０】
第１９の課題解決手段に係る発明のファイル用紙製バインダーによれば、紙製綴り桿の掛止および解除に際して、紙製掛止部材を構成する紙の弾性変形を用いているので、部品点数を削減できるという効果がある。
【００５１】
第２０の課題解決手段に係る発明のファイル用紙製バインダーによれば、紙製綴り桿に書類を通しておいてから、紙製抜け止め部材の嵌合部を紙製綴り桿の先端近傍のくびれまたは穴に嵌合させるだけで、書類を簡単にファイルできる。しかも、紙製綴り板を紙製ベースと面一になるように倒せば、紙製綴り桿を直立した状態とすることが可能であるので、紙製綴り桿に書類を通す作業および紙製抜け止め部材を嵌合させる作業がやり易い。また、バインダー全体が紙製であるのでリサイクルに適している。さらに、紙製ベース並びに第１及び第２の紙製綴り板が紙を積層して形成されている場合には、丈夫である。
【００５２】
第２１の課題解決手段に係る発明のファイル用紙製バインダーによれば、紙製綴り桿に書類を通しておいてから、その先端部を他方の紙製綴り板の穴に通して折り曲げ、該先端部を紙製掛止部材によって他方の紙製綴り板ごと挟み込むだけで、書類を簡単にファイルできる。また、バインダー全体が紙製であるのでリサイクルに適している。さらに、紙製ベース並びに第１及び第２の紙製綴り板が紙を積層して形成されている場合には、丈夫である。
【００５３】
第２２の課題解決手段に係る発明のファイル用紙製バインダーによれば、紙製綴り桿に書類を通しておいてから、螺子からなる抜け止め部材を紙製綴り桿の先端部にねじ込むだけで、書類を簡単にファイルできる。また、抜け止め部材が水溶性でバインダーの他の部分が紙製であるのでリサイクルに適している。さらに、紙製ベース並びに第１及び第２の紙製綴り板が紙を積層して形成されている場合には、丈夫である。
【００５４】
第２３の課題解決手段に係る発明のファイル用紙製バインダーによれば、紙製綴り桿を紙製掛止部材に簡単に止められ、ファイルが簡単になる。また、バインダー全体が紙製であるのでリサイクルに適している。さらに、紙製ベース並びに第１及び第２の紙製綴り板が紙を積層して形成されている場合、丈夫である。
【００５５】
第２４の課題解決手段に係る発明のファイル用紙製バインダーの製造方法によれば、第１および第２の紙製綴り板のうちの少なくとも一方と紙製ベースとが一枚の板紙を折り畳んで一体的に成形されているので、接着剤などにより接続する場合に比べて工程が簡単で、第１および第２の紙製綴り板のうちの少なくとも一方と紙製ベースとがまっすぐ接着されなかったり接着剤の剥離により剥れたりするという不具合の発生を防止できる。
【００５６】
第２５の課題解決手段に係る発明のファイル用紙製バインダーの製造方法によれば、１枚の板紙を折り畳むことにより筒状部分を形成できるので、紙製ベースと第１の紙製綴り板のなす角を維持するための補強効果を板紙の折り畳み方で附加でき、外部から補強部材を取り付ける手間を省くことができる。
【００５７】
第２６の課題解決手段に係る発明の紙製ファイルによれば、ファイル本体およびバインダーがいずれも紙製であるので、バインダーをファイル本体から分離することなく、そのままで廃棄したり、リサイクルすることができる。
【発明を実施するための最良の形態】
【００５８】
（第１実施形態）
以下、図面に基づき、この発明に係る第１実施形態による紙製バインダーついて説明する。
図１は、第１実施形態のファイル用紙製バインダー付のファイル内部を示す斜視図である。図１に示すファイル用紙製バインダー５は、板状の紙製ベース６と、紙製ベース６の一辺から略垂直に立ち上がる第１の紙製綴り板７と、第１の紙製綴り板７に対向して紙製ベース６の他辺に設けられた第２の紙製綴り板８と、第２の紙製綴り板８に第１の紙製綴り板７に向かって伸びるように設けられた２本の紙製綴り桿９と、紙製綴り桿９の先端部を第１の紙製綴り板７に掛止するための紙製スライド板１０（紙製掛止部材）とを備える。
ファイル本体１は、厚紙製であって、背表紙３の両側に表表紙２及び裏表紙４を備え、ファイル用紙製バインダー５は、その紙製ベース６が背表紙３内側に貼り付けられる。
第１の紙製綴り板７は、紙製ベース６と一体的に形成され、スライド板１０を取り付ける空洞７ａを設けるため筒状に形成されている。
紙製ベース６と第２の紙製綴り板８とは、例えば紙テープ（図示略）で連結され、紙製ベース６と紙製綴り板８とのなす角αを９０度よりも大きくすることができる。例えば、紙製ベース６と紙製綴り板８とがなす角αを１８０度にすることにより、書類などを紙製綴り桿に通し易くなる。
【００５９】
紙製綴り桿９は、図２に示すように、略コ字形に成形した紙管のうち両端部から折れ曲がるところまでの部分によって形成されている。図３は、紙製綴り桿９の端部の側面図である。紙管の中には端部から折れ曲がるところまで、紙軸９ａが挿入されている。紙製綴り桿９の先端近傍に、くびれ９ｂが形成されている。
第２の紙製綴り板８には穴が２つ明けられており、第２の紙製綴り板８の穴に紙製綴り桿９が通されて、紙管の扁平に押し潰された中間部分９ｃが紙製綴り板８に接着固定される。
【００６０】
図４はスライド板１０の構成を示す側面図である。スライド板１０にはかぎ型の切り欠き１０ａが形成されている。切り欠き１０ａの奥の部分１０ｂの幅は、紙製綴り桿９の外径より小さいがくびれ９ｂの部分の直径よりも大きい。そのため、くびれ９ｂがスライド板１０の切り欠き１０ａの奥の部分１０ｂに嵌合すると、紙製綴り桿９が抜けなくなる。
スライド板１０は第１の紙製綴り板７に形成された空洞７ａ内に挿入されており、スライド板１０の切り欠き１０ａと紙製綴り板７の切り欠き７ｂとを合わせることにより、紙製綴り桿９を切り欠き１０ａ内に出し入れできる。紙製綴り桿９を切り欠き１０ａ内に入れた状態で、スライド板１０をスライドさせることにより、切り欠きの奥の部分１０ｂに紙製綴り桿９のくびれ９ｂを導くことができる。
【００６１】
一枚の紙では、紙製ベース６と第１の紙製綴り板７を一体的に成形し、さらには第１の紙製綴り板７の空洞７ａを形成するのは困難であるが、薄い紙を積層しつつ接着することにより、紙が割れることなく、図１に示すような複雑な形状を形成できる。リサイクルに適したものとするためには、接着剤として水溶性のものを用いるのが好ましい。
また、紙を積層して第２の紙製綴り板８を作ることにより、紙製綴り桿９を支持する強度を第２の紙製綴り板８に持たせることができる。
【００６２】
（第２実施形態）
次に、図５を用いて第２実施形態によるファイル用紙製バインダーについて説明する。
図５は、第２実施形態のファイル用紙製バインダーを示す斜視図である。図５に示すファイル用紙製バインダー１１は、板状の紙製ベース１２と、紙製ベース１２の一辺から略垂直に立ち上がる第１の紙製綴り板１４と、第１の紙製綴り板１４に対向して紙製ベース１２の他辺に設けられる第２の紙製綴り板１３と、第２の紙製綴り板１３に第１の紙製綴り板１４に向かって伸びるように設けられた２本の紙製綴り桿１５と、紙製綴り桿１５を掛止するための紙製掛止部材１６と、紙製ベース１２及び両紙製綴り板１３，１４をファイル本体の背表紙内側に固定するための紙製アンカー部材１７とを備える。
【００６３】
紙製ベース１２と第２の紙製綴り板１３とは、例えば紙テープで連結され、第２の紙製ベース１２と紙製綴り板１３とのなす角αを９０度よりも大きくすることができる。
また、第１の紙製綴り板１４と紙製掛止部材１６とは、紙テープ１８で余裕を持って連結され、紙製ベース１２と紙製掛止部材１６とのなす角βを９０度よりも大きくすることができ、また紙製綴り桿１５の軌道の外側に位置させることができるよう構成されている。
紙製綴り桿１５は、第２の紙製綴り板１３に固定されている。第１および第２の紙製綴り板１３，１４は薄い紙を積層して形成されているので、紙製綴り桿１５を固定し、あるいは支持するのに十分な機械的強度を備える。
第１の紙製綴り板１４において紙製ベース１２に連結されている辺に対向する辺、即ち、先端部に、紙製綴り桿１５の先端寄り部分が嵌る切り欠き１４ａが形成されている。紙製綴り桿１５の先端寄り部分が切り欠き１４ａに嵌ることによって紙製綴り桿１５が第２の紙製綴り板１３に固定されている付け根で折れ曲がり破損しないよう補強することができる。
なお、紙製綴り桿１５の一端は、第２の紙製綴り板１３を突き抜けるような状態で接着されている。
【００６４】
紙製掛止部材１６は、長方形の丈夫な紙板で形成され、その紙板の一辺側が紙テープ１８によって紙製ベース１２に貼り付けられている。それにより、紙製綴り桿１５の先端寄り部分が切り欠き１４ａに嵌った状態で、紙製綴り桿１５の先端部を紙製掛止部材１６の穴１６ａに通して引っ掛け、紙製綴り桿１５を掛止することができる。紙製綴り桿１５の先端部は、紙製掛止部材１６の穴１６ａから外側に突き出ている。
【００６５】
図６は、紙製綴り桿１５が紙製掛止部材１６により掛止されている状態を示している。図示省略しているが、断面コ字型の紙製アンカー部材１７はファイル本体の背表紙の内側に固定されている。紙製掛止部材１６により掛止されている状態は、紙製ベース１２と第１および第２の紙製綴り板１３，１４が断面コ字型になるよう折り畳まれた状態であり、紙製綴り板１３，１４から突出した紙製綴り桿１５の両端部が紙製アンカー部材１７のかぎ型切り欠き１７ａに嵌り込む。かぎ型切り欠き１７ａの入口部分に紙製綴り桿１５の両端部が嵌り込んだ状態で、紙製ベース１２及び紙製綴り板１３，１４をスライドさせることにより、紙製綴り桿１５の両端部がかぎ型切り欠き１７ａの奥の部分に嵌り込み、紙製ベース１２等がファイル本体から抜け落ちなくなる。
【００６６】
（第３実施形態）
次に、図７を用いて第３実施形態によるファイル用紙製バインダーについて説明する。
図７は、第３実施形態のファイル用紙製バインダー付のファイル内部を示す斜視図である。図７に示すファイル用紙製バインダー２０は、板状の紙製ベース２１と、紙製ベース２１の一辺から略垂直に立ち上がる第１の紙製綴り板２２と、第１の紙製綴り板２２に対向して紙製ベース２１の他辺に設けられた第２の紙製綴り板２３と、第２の紙製綴り板２３に第１の紙製綴り板２２に向かって伸びるように設けられた２本の紙製綴り桿２４と、紙製綴り桿２４を掛止するためのコ字型紙筒２５（紙製掛止部材）とを備える。
【００６７】
紙製ベース２１と第２の紙製綴り板２３とは、例えば紙テープで連結され、紙製ベース２１と紙製綴り板２３とのなす角βを９０度よりも大きくすることができる。
紙製綴り桿２４は、第２の紙製綴り板２３の一部を切り、切り離した紙片を起こして成形されている。第２の紙製綴り板２３は薄い紙を積層して形成されており、例えば、紙片が折り曲げられる部分の近傍に接着剤を塗布しないようにすることによって、紙片を起こしたときに屈曲部に割れが生じるのを防ぐことができる。
【００６８】
紙製掛止部材２５は、内部が空洞の紙筒をコ字型に成形することにより形成され、紙筒の内径が紙製綴り桿２４の断面対角線の長さより大きく、従って紙製綴り桿２４に被せることができる。
紙製掛止部材２５の両端部分を第１の紙製綴り板２２の穴２２ａを通して紙製綴り桿２４に被せることにより、紙製ベース２１及び紙製綴り板２２，２３を断面コ字型になるように保持しつつ紙製綴り桿２４を掛止することができる。
【００６９】
（第４実施形態）
次に、図８を用いて第４実施形態によるファイル用紙製バインダーについて説明する。第４実施形態のファイル用紙製バインダーが第３実施形態のファイル用紙製バインダーと大きく異なるところは、紙製綴り桿と紙製掛止部材の構成である。図８に示すように、紙製綴り桿２４Ａは、コ字形に成形した紙筒のうち両端から折れ曲がるところまでの部分によって形成されている。また、第４実施形態では、図１に示す第１実施形態の第２の紙製綴り板８と同様の構成を有する第２の紙製綴り板（図示略）の穴に、紙製綴り桿２４Ａを通してから、コ字型紙筒の中間部を接着する。
【００７０】
紙製掛止部材２５Ａは、紙製綴り桿２４Ａを構成する紙筒の中を通した紙紐である。この紙紐を第１の紙製綴り板２２の穴２２ａ（図７参照）に通して結ぶことにより、紙製綴り桿２４Ａが第１の紙製綴り板２２に掛止される。
【００７１】
（第５実施形態）
次に、図９を用いて第５実施形態によるファイル用紙製バインダーについて説明する。
図９（Ａ）は、第５実施形態のファイル用紙製バインダーの正面図であり、図９（Ｂ）は図９（Ａ）におけるI−I線断面図である。図９に示すファイル用紙製バインダー３０は、板状の紙製ベース３１と、紙製ベース３１の一辺側に設けられる第１の紙製綴り板３２と、第１の紙製綴り板３２に対向して紙製ベース３１の他辺に設けられる第２の紙製綴り板３３と、第２の紙製綴り板３３に一端部が固定されている紙製綴り桿３４と、紙製綴り桿３４を掛止するための紙製掛止部材３５とを備える。
【００７２】
紙製ベース３１と第２の紙製綴り板３３とは、例えば紙テープ３３ａで連結され、紙製ベース３１と第２の紙製綴り板３３とのなす角αを９０度よりも大きくすることができる。
紙製綴り桿３４は、第２の紙製綴り板３３に固定されている。第１および第２の紙製綴り板３２，３３は薄い紙を積層して形成されているので、図９（Ａ）に示すような複雑な断面形状を有する第１の紙製綴り板３２も形成でき、紙製綴り桿３４を固定し、あるいは支持するのに十分な機械的強度を付与することができる。
第１の紙製綴り板３２において紙製ベース３１に連結されている辺に対向する辺に紙製綴り桿１５の先端部が嵌る切り欠き３２ａが形成されている。紙製綴り桿３４の先端部が切り欠き３２ａに嵌ることによって紙製綴り桿３４が第２の紙製綴り板３３に固定されている付け根で折れ曲がり破損しないよう補強することができる。
【００７３】
紙製掛止部材３５は、第１の紙製綴り板３２の一部を変形して形成され、その変形部が切り欠き３２ａの上に覆い被さっている。それにより、切り欠き３２ａに嵌った状態の紙製綴り桿３４の先端部を、紙製掛止部材３５で掛止することができる。紙製掛止部材３５は、紙製綴り桿３４の軌道上に存するか否か、換言すれば、紙製綴り桿３４を掛止しうる位置に存するか否かを、それ自体の弾性変形によって変えられるようになっている。即ち、紙製綴り桿３４を掛止する際には、紙製綴り桿３４の先端部と干渉しないように、紙製掛止部材３５を外側に弾性変形させておき、紙製綴り桿３４の先端部が切り欠き３２ａに嵌ったところで紙製掛止部材３５を復元させることにより、紙製綴り桿３４が紙製掛止部材３５によって掛止される。また、紙製綴り桿３４を解除する際には、上記と逆の操作を行えばよい。
【００７４】
なお、上記第５実施形態の説明では、紙製掛止部材３５とは別に紙製綴り桿３４を受ける個所（切り欠き３２ａ）を第１の紙製綴り板３２に設けたが、図１０に示すように、変形部に切れ目を入れて紙製掛止部材３５に紙製綴り桿３４を受ける個所を設けてもよい。
【００７５】
（第６実施形態）
次に、図１１を用いて第６実施形態によるファイル用紙製バインダーについて説明する。
図１１は、第６実施形態のファイル用紙製バインダー付のファイル内部を示す斜視図である。図７に示すファイル用紙製バインダー４０は、板状の紙製ベース４１と、紙製ベース４１の一辺に設けられる第１の紙製綴り板４２と、第１の紙製綴り板４２に対向して紙製ベース４１の他辺に設けられる第２の紙製綴り板４３と、第２の紙製綴り板４３に第１の紙製綴り板４２に向かって伸びるように設けられている２本の紙製綴り桿４４と、紙製綴り桿４４を掛止するための断面コ字型の紙製クリップ４５（紙製掛止部材）とを備える。
【００７６】
紙製ベース４１と第１の紙製綴り板４２とは、例えば紙テープで連結され、紙製ベース４１と第１の紙製綴り板４２とのなす角αを９０度よりも大きくすることができる。
また、紙製ベース４１と第２の紙製綴り板４３とは、例えば紙テープで連結され、紙製ベース４１と第２の紙製綴り板４３とのなす角βを９０度よりも大きくすることができる。
紙製綴り桿４４は、紙製綴り板４３の一部を切り、切り離した紙片を起こして成形されている。第２の紙製綴り板４３は薄い紙を積層して形成されており、例えば、紙片が折り曲げられる部分の近傍に接着剤を塗布しないようにすることによって、紙片を起こしたときに屈曲部に割れが生じるのを防ぐことができる。
また、紙製綴り桿４４は、先端部４４ａが折り曲げ自在に形成されている。第２の紙製綴り板４３は薄い紙を積層して形成されており、例えば、折り曲げ自在の部位近傍に接着剤を塗布しないようにすることによって、紙片を折り曲げても割れが生じ難くなる。
【００７７】
紙製クリップ４５に嵌り込む紙製綴り桿４４の先端部４４ａの厚みと紙製綴り板４２の厚みの和は、紙製クリップ４５の間隙４５ａの幅よりも僅かに大きく形成されている。
第１の紙製綴り板４２に、紙製綴り桿４４に対応して穴４２ａが設けられている。
紙製クリップ４５で、第１の紙製綴り板４２の穴４２ａに通されて折り曲げられた紙製綴り桿４４の先端部４４ａと紙製綴り板４２を挟み込むことにより、紙製ベース４１ならびに第１および第２の紙製綴り板４２，４３を断面コ字型になるように保持しつつ紙製綴り桿４４を掛止することができる。
【００７８】
（第７実施形態）
次に、図１２を用いて第７実施形態によるファイル用紙製バインダーについて説明する。
図１２には、ファイル用紙製バインダーの紙製綴り桿５０の先端部と紙製綴り板５２（抜け止め部材）の一部が示されている。上記第１乃至第６実施形態では、一組の紙製綴り板の両方が紙製ベースに固定または連結されていたが、第７実施形態では紙製綴り板５２は紙製ベースに連結されていない。なお、図示は省略したが、紙製綴り桿５０の基端部は、紙製ベースの一辺に紙製ベースとのなす角を変えられるように設けられる紙製綴り板に固定されている。
【００７９】
紙製綴り板５２（抜け止め部材）には切り欠き５３（嵌合部）が設けられている。切り欠き５３は、紙製綴り板５２の端部に近いところ５３ａが細く、遠いところ５３ｂでは太くなっている。
紙製綴り桿５０の先端部近傍にはくびれ５１が設けられている。
紙製綴り桿５０のくびれ５１を切り欠き５３に押し込むと、くびれ５１が切り欠き５３の端部に近いところ５３ａを押し広げて奥に入り、遠いところ５３ｂまで入ると紙製綴り板５２の弾性変形が解ける。これにより、紙製綴り板５２が紙製綴り桿５０の先端部に嵌合して紙製綴り桿５０に綴られている書類が抜け落ちるのを防止できる。
背表紙内側に紙製綴り板５２が抜け落ちるのを防止する当て板を設けておくことにより、書類がファイルから抜け落ちるのを防止できる。
【００８０】
（第８実施形態）
次に、図１３を用いて第８実施形態によるファイル用紙製バインダーについて説明する。
第７実施形態では、紙製綴り板５２で書類が抜け落ちるのを防止していたが、第８実施形態では、図１３に示すように、螺子６２（抜け止め部材）を紙筒からなる紙製綴り桿６０の先端の空洞６１にねじ込むことによって書類が抜け落ちるのを防止している。
この螺子６２は、書類などとともに水に溶かしてリサイクルすることができるように水溶性の樹脂またはセルロース誘導体あるいはそれらと紙粉の複合材料から形成されている。
【００８１】
（第９実施形態）
次に、図１４を用いて第９実施形態によるファイル用紙製バインダーについて説明する。
図１４は、第９実施形態のファイル用紙製バインダーを示す正面図である。図１４に示すファイル用紙製バインダー７０は、板状の紙製ベース７１と、紙製ベース７１の一辺に設けられる第１の紙製綴り板７２と、第１の紙製綴り板７２に対向して紙製ベース７０の他辺に設けられる第２の紙製綴り板７３と、第２の紙製綴り板７３に固定されている複数の紙製綴り桿７４と、紙製綴り桿７４を掛止するための断面コ字型の紙製クリップ７５（紙製掛止部材）とを備える。
【００８２】
紙製ベース７１と第１の紙製綴り板７２とは、例えば紙テープで連結され、紙製ベース７１と第１の紙製綴り板７２とのなす角αを９０度よりも大きくすることができる。
また、紙製ベース７１と第２の紙製綴り板７３とは、例えば紙テープで連結され、紙製ベース７１と第２の紙製綴り板７３とのなす角βを９０度よりも大きくすることができる。
第９実施形態においても、第８実施形態と同様に、螺子６２Ａを紙筒からなる紙製綴り桿６０の先端にねじ込むことによって書類が抜け落ちるのを防止している。また、螺子６２Ａによって、紙製綴り桿６０の先端近傍にくびれが形成されている。
紙製クリップ７５は、第２の紙製綴り板７３に設けられている。紙製クリップ７５の先端部には溝が形成されている。この溝は、入口部分が、奥に行く程幅狭となる略Ｖ字型の断面を有し、それに連なる奥の部分が、断面円形となされている。
第９実施形態では、螺子６２Ａの頭部を丸くすることによって、紙製クリップ７５の溝の奥の部分に嵌合し易いように形成されている。
紙製綴り桿５０の先端部を構成する螺子６２Ａを紙製クリップ７５の先端部の溝に押し込むと、螺子６２Ａが溝の両側部を押し広げて奥に入り、溝の奥の部分まで入ると溝の両側部が復元する。これにより、紙製綴り桿６０の先端部が紙製クリップ７５に挟み込まれて、紙製綴り桿６０が第２の紙製綴り板７３に掛止される。
なお、第９実施形態の説明では、紙製綴り桿６０の先端に螺子６２Ａを螺合する場合について説明したが、螺子６２Ａによりくびれを形成する代わりに紙製綴り桿６０を成形してくびれを形成してもよく、その場合には紙製綴り桿の先端部は書類に明けられる穴の径より小さいことが好ましい。
【００８３】
（第１０実施形態）
図１５は第１０実施形態によるファイル用紙製バインダーの構成を示す正面図である。
図１５に示すように、ファイル用紙製バインダーは基体部８０と紙製釘ホルダー８１とを備えている。紙製釘ホルダー８１は、基体部８０に抜き差し自在に構成され、紙製釘ホルダー８１にて穴の開いた書類を束ね、紙製釘ホルダー８１を基体部８０に差し込んで書類を綴ることができるようになっている。図１５に示す第１０実施形態は、先に説明した図９に示す第５実施形態のファイル用紙製バインダーを改良したものである。特に、紙製釘ホルダー８１を設けることにより、書類を綴じたり抜き出したりする際に、紙製釘ホルダー８１で束ねることができる点が優れている。
【００８４】
図１６は図１５のファイル用紙製バインダーの基体部８０の構成を示す平面図であり、図１７は基体部８０の正面図であり、図１８および図１９は図１７のＡ−Ａ線断面から各々左右側面を見たＡ−Ａ線断面図である。
図１６に示すように、基体部８０は略長方形の平面形状を有する紙製ベース８２と、紙製ベース８２と一体的に形成されていて紙製ベース８２の一辺から略垂直に立ち上がる第１の紙製綴り板８３と、第１の紙製綴り板８３に対向して紙製ベース８２の他辺に紙製ベース８２とのなす角を変えられるように設けられている第２の紙製綴り板８４とを備えている。つまり、第１の紙製綴り板８３が基体部８０の左側面を、第２の紙製綴り板８４が基体部８０の右側面を構成する。
さらに、基体部８０は、第２の紙製綴り板８４に第１の紙製綴り板８３に向かって伸びるように設けられている２本の紙製綴り桿８５を備えている。この紙製綴り桿８５は中空の紙筒により形成され、第１０実施形態では紙筒をコ字型に折り曲げるとともに折り曲げ部分どうしの間の中央部分を扁平に変形させて形成している。この紙製綴り桿８５の形状は、例えば図２に示す紙製綴り桿９と基本的な形状を同じくする。コ字型の紙筒のうち２本の紙製綴り桿８５を構成する部分、即ち、扁平に押し潰されているところ以外の部分は中空のままであり、先端に図２の紙製綴り桿９のようなくびれ９ｂが存在しないところが紙製綴り桿９と異なっている。
【００８５】
図１７に示す第１の紙製綴り板８３は一枚の板紙を折り返して二重にし接着剤で接着することにより形成されている。
図１７に特徴が良く現れているが、紙製ベース８２と第１の紙製綴り板８３は、それらの境界領域において、紙製ベース８２から第１の紙製綴り板８３に続く外側に積層されている板紙部分と内側に積層されている板紙部分とから筒状に形成された部分８６を有する。
この筒状に形成された部分８６により、紙製ベース８２と第１の紙製綴り板８３のなす角がほぼ直角に維持されるように補強されている。
この筒状に形成された部分８６は、紙製ベース８２および第１の紙製綴り板８３に対して垂直な平面で切断した断面形状が略三角形をしている。先端が丸まったり、辺を構成する板紙が撓んだりするので正確な三角形ではないが、三角形にすることにより、折り目が少ないため形成が容易になり、かつ外力に対して安定な構造になる。
【００８６】
図１８に示すように、筒状に形成された部分８６には、後述する紙製釘ホルダーを係り止めするための開口部８７が設けられている。開口部８７は予め対応する個所の板紙を、例えばトムソンなどにより打ち抜いて形成される。
また、図１７からは膨出部８８の構成上の特徴が見て取れる。即ち、膨出部８８は、紙製ベース８２と略平行な下面８８ａを有する筒状に形成されており、紙製ベース８２および第１の紙製綴り板８３に対して垂直な平面で切断した断面形状が略三角形をしている。三角形にすることにより、折り目が少ないため形成が容易になり、かつ外力に対して安定な構造になる。
膨出部８８の下面８８ａは、紙製釘ホルダー８１を係り止めするため、紙製綴り桿８５に近い側ほど低くなるよう傾斜していることが好ましい。
【００８７】
図１９には、基体部８０の左側面を構成する第２の紙製綴り板８４が示されている。紙製綴り板８４は一枚の板紙を３回折り返し四重にし接着剤で接着することにより形成されている（図１７参照）。このように板紙が４枚重なった厚みを持たせることにより、紙製綴り桿８５をしっかりと固定することができる。また、紙製綴り桿８５を構成する紙筒の扁平部分を第２の紙製綴り板８４の中に収納することにより、紙製綴り桿８５の抜けを防止するとともに、厚みが増して書類を綴ることができる領域が少なくなるのを抑制している。
【００８８】
図２０は紙製釘ホルダーの構成を示す平面図であり、図２１は紙製釘ホルダーの正面図であり、図２２は紙製釘ホルダーの側面図である。紙製釘ホルダー８１は板状部８９と釘部９０とを備える。板状部８９は、一枚の板紙を２回折り返して３重にしたものに一枚の板紙片を重ね合わせて、合計４枚分の板紙の厚みを持たせて構成されている。これにより、釘部９０を固着する穴の深さを十分に確保でき釘部９０の固定を十分強固なものにすることができる。
釘部９０は紙を巻きつけてスティック状にしたものからなり、書類の穴に通し易いよう先端部を尖らせている。釘部９０の板状部８１への固定は例えば接着剤で接着することにより行う。
また、紙製釘ホルダー８１は、図２２に示すように、板状部８９の下側に足８９ａを有しており、この足８９ａが基体部８０の開口８７に嵌り込む。足８９ａの幅が開口８７の幅にほぼ一致しており、開口８７と足８９ａが係り止め手段となって、膨出部８８とともに基体部８０と紙製釘ホルダー８１の位置関係を決めている。
【００８９】
図２３は基体部８０の紙製綴り桿８５に紙製釘ホルダー８１の釘部９０を差し込んで、紙製釘ホルダー８１の板状部８９を第２の紙製綴り板８３の膨出部８８に掛止しようとしている状態を示す正面図である。
図２３には書類が示されていないが、通常は紙製綴り桿８５に書類が通された状態で紙製綴り桿８５の中に、釘部９０が挿入される。この状態からさらに、第２の紙製綴り板８４と紙製ベース８２のなす角が直角になるまで、紙製綴り板８４を立てて行くのであるが、板状部８９が描く円弧状の軌跡の上に膨出部８８の先端が張り出しているため、板状部８９によって膨出部８８が押し退けられる。
膨出部８８が板状部８９に押し退けられると、第１の紙製綴り板８３が反り返る弾性変形が起こる。そして、板状部８９が膨出部８８の下面８８ａよりも下にくると第１の紙製綴り板８３の弾性変形が解除され、膨出部８８の下面８８ａによって板状部８９の上辺が抑えられる。このとき、紙製釘ホルダー８１の足８９ａが開口部８７に嵌り込むとともに紙製ベース８２に当接するため、紙製釘ホルダー８１、ひいては紙製綴り桿８５を第２の紙製綴り板８３に掛止することができる。
【００９０】
次に、第１０実施形態の紙製ベース８２および紙製綴り板８３，８４の作り方について図２４を用いて説明する。図２４に示す１枚の板紙１００には、予めトムソンにより、穴１０１および開口部１０２，１０７が形成されている。また、図２４の点線で示すところに折り目が付いている。点線で仕切られた長方形の区画１０３Ａ，１０４，１０３ｂ，１０５を順に外側から内側へと巻き込んでいく。寸法を安定させるため例えば平面１０４より平面１０３Ａが幅狭く形成されている。折り重ねられた区画１０３Ａ，１０４，１０３ｂ，１０５は、接着剤で接着されて、第２の紙製綴り板８４を構成する。
区画１０８は区画１０６に接着剤で接着されて紙製ベース８２を構成する。折り目１０９が膨出部８８の先端に相当し、区画１１０が膨出部８８の下面８８ａに相当する。区画１１１は、区画１１２に接着剤で接着されて、第１の紙製綴り板８３を構成するが、区画１１３は、どこにも接着されない。そして、区画１１３，１１２，１０６によって、紙製ベース８２と第１の紙製綴り板８３のなす角がほぼ直角に維持されるように補強する筒状部分８６が形成される。
以上のように、一枚の板紙から紙製ベース８２および紙製綴り板８３，８４を成形することにより、紙製ベース８２に紙製綴り板８３，８４を貼り付ける作業を省くことができ、紙製綴り板８３，８４が曲がって取り付けられたり貼付個所が剥れたりする不具合が発生しないなど品質面でも安定する。
なお、上記第１０実施形態では、紙製釘ホルダー８１の板状部８９は、２枚の板紙で形成したが、図２５に示すような一枚の板紙を３回折り畳んで形成することもできる。
【００９１】
（第１１実施形態）
図２６〜図３０は、第１１実施形態によるファイル用紙製バインダーの構成を示すものである。
第１１実施形態は、以下の点を除いて、図１５〜図２５に示す第１０実施形態と実質的に同じである。
即ち、図２６〜図２８に示すように、第１１実施形態のファイル用紙製バインダー１２０にあっては、第１の紙製綴り板８３０に、釘ホルダー８１０の板状部を膨出部８８０から外すための穴８３１が形成されている。穴８３１は、図２６に示すように、指を挿入できる程度の大きさを有する円形のものであって、第１の紙製綴り板８３０のほぼ中央部に貫通状に設けられている。
この穴８３１を通して、膨出部８８０に掛止された板状部８９を指等で押すと、図２８に二点鎖線で示すように、第２の紙製綴り板８４０が紙製ベース８２に対して外側に倒れるように折れ曲がり、それに伴って、板状部８９を含む釘ホルダー８１０全体が紙製綴り桿８５とともに第２の紙製綴り板８４０側へ移動し、板状部８９が膨出部８８０から外れる。したがって、上記構成によれば、釘ホルダー８１０の解除の際に第１の紙製綴り板８３０を大きく弾性変形させる必要がないため、板状部８９を膨出部８８０から簡単に外すことができる上、繰り返し使用しても第１の紙製綴り板８３０が破損するおそれがない。
【００９２】
また、図２６〜図２８に示すように、第１の紙製綴り板８３０には、複数の補強用縦リブ８３２が形成されている。図２６において、縦リブ８３２は、第１の紙製綴り板８３０の一部を構成する外側の板紙部分に、水平方向にほぼ等間隔おきに計４本形成され、第１の紙製綴り板８３０の基端部から先端部まで達するような長さを有している。これらの縦リブ８３２により、第１の紙製綴り板８３０の強度が更に向上している。
【００９３】
図２７および図２８に示すように、膨出部８８０の下面８８０ａは、先端に向かう程紙製ベース８２に近づくような傾斜面となされていて、該下面８８０ａに掛止された釘ホルダー８１０の板状部８９が外れ難いようになっている。
【００９４】
図２６〜図２８に示すように、第２の紙製綴り板８４０は、先端から第１の紙製綴り板８３０側に折り返されたフラップ部８４１を有している。そして、このフラップ部８４１に２本の紙製綴り桿８５が設けられている。フラップ部８４１は、第２の紙製綴り板８４０を構成する４重に折り畳まれた板紙部分のうち紙製ベース８２に連なる最も外側の板紙部分を除く３枚の板紙部分を、接着剤で接着することにより形成されている。上記構成によれば、釘ホルダー８１０によって紙製綴り桿８５が第１の紙製綴り板８３０に掛止された際、フラップ部８４１は第２の紙製綴り板８４０に対して弾性的に離間接近が可能なので、フラップ部８４１が第２の紙製綴り板８４０から離間するバネ状弾性力によって、釘ホルダー８１０の板状部８９が第１の紙製綴り板８３０に押し付けられる。よって、板状部８９が第１の紙製綴り板８３０の膨出部８８０から外れ難く、掛止状態が確実に維持される。なお、フラップ部８４１は、これを構成する板紙部分の数を変えたり、別体の板紙をさらに接着したりして厚みを調整することにより、所望のバネ状弾性力を得ることができる。
【００９５】
図２６〜図２８に示す釘ホルダー８１０は、２本の紙製棒状体９００をこれらの一端側から紙製板状体８９０に挿通して、各棒状体９００の他端部を板状体８９０に接着することにより形成されており、各棒状体９００の他端部には、それ以外の部分よりも径が大きくなされた抜け止め部９００ａが形成されている。したがって、釘部９０を構成する棒状体９００が、板状部８９を構成する板状体８９０から抜け落ちる心配がない。この実施形態では、抜け止め部９００ａは、偏平状のものとなされている。上記棒状体９００は、例えば、他端部に相当する端部に多数のスリットを入れた紙を巻いて棒状にした後、スリットが入れられた端部を外側に広げることによって形成することができる。
【００９６】
また、図２９に示すように、釘ホルダー８１０の釘部８９を構成する棒状体９０１として、一端部から他端部に向かって次第に径が大きくなるテーパ状のものを用いることもできる。この場合、棒状体９０１のうち最も径が大きい他端部によって抜け止め部９０１ａが構成され、板状体８９０からの棒状体９０１の抜け落ちが防止される。上記棒状体９０１は、例えば、一端部から他端部に向かうにつれて次第に幅広となる紙を巻いて棒状にすることによって形成することができる。
【００９７】
なお、上記第１から第１１実施形態においては、紙製バインダーの表面が紙で構成されているものを示したが、澱粉、タンニン、カルボキシメチルセルロースやヒドロキシプロピルセルロースなどのセルロース誘導体などを紙製バインダーの表面にコーティングし、或いは表面から含浸することもでき、それによって、紙製綴り桿や紙製釘ホルダーなどの機械的強度の向上、紙製綴り板などの防汚、弾力性の向上、成形性の向上などが図られる。ただし、コーティングや含浸後の紙製バインダーをパルパーで離解できる程度のコーティング量や含浸量とすることが必要である。
【図面の簡単な説明】
【００９８】
【図１】第１実施形態によるファイル用紙製バインダーの構成を示す斜視図である。
【図２】図１に示すファイル用紙製バインダーの紙製綴り桿の平面図である。
【図３】図２の紙製綴り桿の先端の構成を示す側面図である。
【図４】図１に示すファイル用紙製バインダーのスライド板の側面図である。
【図５】第２実施形態によるファイル用紙製バインダーの構成を示す斜視図である。
【図６】第２実施形態によるファイル用紙製バインダーの構成を示す斜視図である。
【図７】第３実施形態によるファイル用紙製バインダーの構成を示す斜視図である。
【図８】第４実施形態によるファイル用紙製バインダーを説明するための断面図である。
【図９】（Ａ）は第５実施形態によるファイル用紙製バインダーの構成を示す正面図であり、（Ｂ）は図９（Ａ）のI−I線断面図である。
【図１０】第５実施形態によるファイル用紙製バインダーの他の態様を示す正面図である。
【図１１】第６実施形態によるファイル用紙製バインダーの構成を示す斜視図である。
【図１２】第７実施形態によるファイル用紙製バインダーを説明するための斜視図である。
【図１３】第８実施形態によるファイル用紙製バインダーを説明するための斜視図である。
【図１４】第９実施形態によるファイル用紙製バインダーの構成を示す正面図である。
【図１５】第１０実施形態によるファイル用紙製バインダーの構成を示す正面図である。
【図１６】図１５のファイル用紙製バインダーを構成する基体部の平面図である。
【図１７】図１６に示す基体部の正面図である。
【図１８】基体部の右側面を示す図１７のＡ−Ａ線断面図である。
【図１９】基体部の左側面を示す図１７のＡ−Ａ線断面図である。
【図２０】図１５のファイル用紙製バインダーを構成する紙製釘ホルダーの平面図である。
【図２１】図２０に示す紙製釘ホルダーの正面図である。
【図２２】図２０に示す紙製釘ホルダーの側面図である。
【図２３】第１０実施形態によるファイル用紙製バインダーの動作を説明するための正面図である。
【図２４】図１５のファイル用紙製バインダーの基体部の展開図である。
【図２５】図１５の紙製釘ホルダーの板状部の他の構成を示す展開図である。
【図２６】第１１実施形態によるファイル用紙製バインダーの構成を示す斜視図である。
【図２７】第１１実施形態によるファイル用紙製バインダーの構成を示すものであって、紙製綴り桿が掛止されていない状態の横断面図である。
【図２８】第１１実施形態によるファイル用紙製バインダーの構成を示すものであって、紙製綴り桿が掛止された状態の横断面図である。
【図２９】図２６〜図２８の紙製釘ホルダーの他の構成を示す横断面図である。
【符号の説明】
【００９９】
５，１１，２０，３０，４０，７０，８０，１２０    ファイル用紙製バインダー、
６，１２，２１，３１，４１，８２    紙製ベース、
７，１４，２２，３２，４２，７２，８３，８３０    第１の紙製綴り板、
８，１３，２３，３３，４３、７３，８４，８４０    第２の紙製綴り板、
９，１５，２４，２４Ａ，３４，４４，５０，６０，８５    紙製綴り桿、
１０    スライド板（紙製掛止部材）、
１６，２５Ａ，３５    紙製掛止部材、
１７    紙製アンカー部材、
２５    コ字型紙筒（紙製掛止部材）、
４５    紙製クリップ（紙製掛止部材）、
５２    紙製綴り板（抜け止め部材）、
６２    螺子（抜け止め部材）、
８１，８１０    紙製釘ホルダー（紙製掛止部材）。
【図１】
2005047248.tif 000003
【図２】
2005047248.tif 000004
【図３】
2005047248.tif 000005
【図４】
2005047248.tif 000006
【図５】
2005047248.tif 000007
【図６】
2005047248.tif 000008
【図７】
2005047248.tif 000009
【図８】
2005047248.tif 000010
【図９】
2005047248.tif 000011
【図１０】
2005047248.tif 000012
【図１１】
2005047248.tif 000013
【図１２】
2005047248.tif 000014
【図１３】
2005047248.tif 000015
【図１４】
2005047248.tif 000016
【図１５】
2005047248.tif 000017
【図１６】
2005047248.tif 000018
【図１７】
2005047248.tif 000019
【図１８】
2005047248.tif 000020
【図１９】
2005047248.tif 000021
【図２０】
2005047248.tif 000022
【図２１】
2005047248.tif 000023
【図２２】
2005047248.tif 000024
【図２３】
2005047248.tif 000025
【図２４】
2005047248.tif 000026
【図２５】
2005047248.tif 000027
【図２６】
2005047248.tif 000028
【図２７】
2005047248.tif 000029
【図２８】
2005047248.tif 000030
【図２９】
2005047248.tif 000031